(57)【要約】      （修正有）【課題】首や肩への負担が少なく、冷却能力が衰えることもない襟首冷却帯及びそれを利用した衣服を提供する。【解決手段】本考案に係る冷却帯は、複数のモータファン１４を襟首に巻き付け可能な帯状体に取り付けてなる。前記帯状体は前記モータファンの取り付け位置に開口部を有する繊維品、紙、および若しくはプラスチックシート或いはこれらの組み合わせからなり、該帯状の両端部近傍同士で締結可能にする締結部３０を備えていて、前記モータファンは外観が略円盤状のコアレスタイプとすればよい。【選択図】図８
0003225882.tif 000002
【実用新案登録請求の範囲】
【請求項１】
複数のモータファンを襟首に巻き付け及び/または襟首かけ可能な帯状体に取り付けてなることを特徴とする襟首冷却帯。
【請求項２】
前記帯状体は前記モータファンの取り付け位置に開口部を有する繊維品、紙、および若しくはプラスチック或いはこれらの組み合わせからなり、該帯状の両端部近傍同士で締結可能にする締結部を備えてなることを特徴とする請求項１記載の襟首冷却帯。
【請求項３】
前記帯状体が繊維品であり、着物生地、ガーゼ、タオル生地、手拭生地、レース、スカーフ或いはこれらの組み合わせからなることを特徴とする請求項２記載の襟首冷却帯。
【請求項４】
前記モータファンは外観が略円盤状であり、厚さが２０ｍｍ以下、直径が４０ｍｍ以下のコアレスタイプであり、その略円盤状の周面がケーシングになり、その略円盤状の表裏両面には通風開口部があり、該通風開口部に回転羽根と、該回転羽根の駆動部が配置され、該駆動部から電源に繋がるリード線を引き出してなる請求項１乃至３のいずれか記載の襟首冷却帯。
【請求項５】
前記帯状体に沿ってリード線が配線されており、一つ又は複数の電池ケースが付設されており、前記電源と該電池ケース内の電池とが導通するようになっていることを特徴とする請求項４記載の襟首冷却帯。
【請求項６】
前記モータファンの反襟首側開口部を空気流通するメッシュ体で覆うことを特徴とする請求項１乃至５のいずれか記載の襟首冷却帯。
【請求項７】
前記モータファンの反襟首側開口部を覆うように繊維品、紙、及び若しくはプラスチック或いはこれらの組み合わせからなる帯状物を該モータファンへの空気取り入れが確保される空気通路になるように覆って略筒体を形成し、該筒体の両端が開口部となり、該両端開口部の外方に向けて前記の締結部を有することを特徴とする請求項１乃至６のいずれか記載の襟首冷却帯。
【請求項８】
衣服の襟に請求項１乃至７のいずれかに記載の襟首冷却帯を取り付けてなることを特徴とする衣服。
【請求項９】
請求項８において衣服背部に冷却用ファンを備えてなることを特徴とする衣服。
【考案の詳細な説明】
【技術分野】
【０００１】
本考案は、襟首冷却帯及びそれを利用した衣服に係り、特に、人体の首周囲へ風を当てて身体の冷却へ寄与することを狙う襟首冷却帯及びそれを利用した衣服に関する。
【背景技術】
【０００２】
気温が高い時など身体をクールダウンする為に小型のファンを組み込んだ衣服が知られている。しかしながら着衣者の背中を冷やすことには優れているが、首回りを直接冷やして爽快感を達するには至らない。しかも涼を求めるために専用の衣服を着用せねばならない。
【０００３】
一方、スポーツ観戦等において、観戦者は汗拭いの為にタオルを首にかけることが常用されている。
ところで熱中症予防には首を冷やすことが有効とされる。例えば、次のアドレスに記載がある。
http://kenko-updown.com/kenko/necchuushou-taisaku01
【０００４】
ただし、首の真後ろだけを冷却すると熱中症予防に逆効果と言う情報もある。寒冷刺激で発汗が止まり、体内に熱が籠る為との説である。これは首後ろの局部の急冷によると考えれば、急冷ではなくて穏やかな冷却効果が図れるファン風は安心であろう。
【０００５】
このように襟首の冷却は直接に爽快感を達するのに有効であり、冷却装置を湾曲パイプ状の首掛け部材に組み込んだ装置では首にかかる重量負荷を避けられない。
【０００６】
そこで特許文献１の明細書と図面に記載のように、首部冷却袋に保冷体を入れることが提案されている。この提案に従えば首への重量負荷は軽減されるが、保冷体は経時的に冷却能力が下がってしまう。
【先行技術文献】
【特許文献】
【０００７】
【特許文献１】実用新案登録第３２１９３３８号公報
【考案の概要】
【考案が解決しようとする課題】
【０００８】
本考案は、上記従来の問題点に着目し、首や肩への負担が少なく、冷却能力が衰えることもない襟首冷却帯及びそれを利用した衣服を提供することを目的とする。
【課題を解決するための手段】
【０００９】
上記目的を達成するために、本考案に係る冷却帯は、複数のモータファンを襟首に巻き付け及び／または首掛け可能な帯状体に取り付けてなることを特徴としている。
【００１０】
上記構成において、前記帯状体は前記モータファンの取り付け位置に開口部を有する繊維品、紙、および若しくはプラスチック或いはこれらの組み合わせからなり、該帯状の両端部近傍同士で締結可能にする締結部を備えてなる構成とすればよい。
【００１１】
前記帯状体が繊維品であり、着物生地、ガーゼ、タオル生地、手拭生地、レース、スカーフ或いはこれらの組み合わせからなるようにすることができる。
前記モータファンは外観が略円盤状のコアレスタイプとすればよい。この場合、モータファンは、厚さが２０ｍｍ以下、直径が４０ｍｍ以下のコアレスタイプとされ、その略円盤状の周面がケーシングになり、その略円盤状の表裏両面には通風開口部があり、該通風開口部に回転羽根と、該回転羽根の駆動部が配置され、該駆動部から電源に繋がるリード線を引き出している襟首冷却帯することができる。
【００１２】
前記帯状体に沿ってリード線が配線されており、一つ又は複数の電池ケースが付設されており、前記電源と該電池ケース内の電池とが導通するようにすればよい。尚、電池は帯状体の略中央（つまり襟首中央）に配置し、ファンは当該部の配置を避けて後頭部に直接冷風が当たらぬようにすることも有効である。
【００１３】
前記モータファンの反襟首側開口部を空気流通するメッシュ体で覆うことを特徴としている。
前記モータファンの反襟首側開口部を覆うように繊維品、紙、及び若しくはプラスチックシート或いはこれらの組み合わせからなる帯状物を該モータファンへの空気取り入れが確保される空気通路になるように覆って略筒体を形成し、該筒体の両端が開口部となり、該両端開口部の外方に向けて前記の締結部を有するようにしてもよい。
【００１４】
帯状体の形状は空気を流通する管路が形成されていれば湾曲のプラスチック製のように襟首にかけるタイプでも良い。
本考案に係る衣服は、その襟に前記襟首冷却帯を取り付けてなることを特徴としている。この場合において、衣服背部に冷却用ファンを備えた構成とすることも可能である。
【考案の効果】
【００１５】
本考案によれば、上述したように構成することにより、首への重量負荷を軽減すると共に保冷効果を長持ちさせるようにした。また、モータファンを複数個とし、首周囲の複数個所から空気を首方向へ吹き付けるようにして冷却効果を高めている。モータファンをコアレスタイプとすることにより、軽量化することができ、装着時の負荷軽減効果を発揮することができる。
【図面の簡単な説明】
【００１６】
【図１】本考案の実施例による襟首冷却帯の概念図である。
【図２】実施例に用いるコアレスタイプのモータファンの前側斜視図である。
【図３】実施例に用いるコアレスタイプのモータファンの後側斜視図である。
【図４】図１の襟首冷却帯の装着例（装着者背面）の説明図である。
【図５】図１の襟首例や躯体の装着例（装着者前面）の説明図である。
【図６】本考案の他の実施例による襟首冷却帯の概念図である。
【図７】本考案の更に他の実施例による襟首冷却帯の概念図である。
【図８】本考案の更に他の実施例による襟首冷却帯の概念図である。
【図９】本考案の更に他の実施例による襟首冷却帯の概念図である。
【図１０】本考案の襟首冷却帯の種々の装着例の説明図である。
【図１１】本考案の衣服の背面図である。
【考案を実施するための形態】
【００１７】
以下、本考案に係る襟首冷却帯及びそれを利用した衣服の実施の形態について、図面を参照して詳細に説明する。なお、以下に示す実施の形態は、本考案を実施するための好適な形態の一部であり、その対象や選択項目に変化を加えたとしても、本考案の効果を奏する限りにおいて、本考案の一部とみなすことができる。
【００１８】
本考案は、図１に示すように、小型、薄型のコアレス型モータファン１４を帯状の布(帯状体１２)に付けることによって、首への重量負荷を軽減すると共に保冷効果を長持ちさせるようにしたものである。襟首冷却帯１０は、モータファン１４を複数個、帯状体１２に取り付けている。複数個とするのは首周囲の複数個所から空気を首方向へ吹き付ける為である。
【００１９】
また、この帯状体１２はモータファン１４の取り付け位置に開口部１６を有する繊維品、紙、及び若しくはプラスチック或いはこれらの組み合わせからなり、帯状物の両端部近傍同士で締結可能にする締結部３０を備えてなることが望ましい。その締結部３０では、締結具（面ファスナーとかボタン、フックなどの止め具）を用いても良いし、締結部同士を結んでも良い。
【００２０】
更にこの帯状体１２は繊維品とし、着物生地、ガーゼ、タオル生地、手拭生地、レース、スカーフ或いはこれらの組み合わせからなることが好ましい。また、ファッション性を出すべく、適宜、採色、模様、形状を採用できる。更に、強度確保の為、本考案の布概念にはプラスチックやゴム製も含み、要するに首の後ろから前方に向けて、首周りに沿ってかけられるように形状変化できる帯状物である。
【００２１】
モータファン１４は外観が略円盤状であり、厚さが２０ｍｍ以下、直径が４０ｍｍ以下のコアレスタイプであり、図２〜３に示すように、その略円盤状の周面がケーシング２２になり、その略円盤状の表裏両面には円状の通風開口部２４があり、該開口部２４に回転羽根２６と、該回転羽根の駆動部２８が配置され、該駆動部２８から電源に繋がるリード線２０を引き出してなるものが実用的である。
【００２２】
尚、帯状体に沿ってリード線２０が配線されており、一つ又は複数の電池ケース１８が付設されており、電源と該電池ケース１８内の電池とが導通するようになっていることが実用的である。電池ケース１８は帯状体の略中央（つまり襟首中央）に配置し、ファンは当該部の配置を避けて後頭部に直接冷風が当たらぬようにすることも有効である。
ところで後頭部には髪の毛がかかる場合が多いのでモータファンの回転羽根２６の開口に髪の毛が引き込まれぬような対応も実用的である。その態様の一つとして、モータファン装置の反襟首側開口部を空気流通する程度のメッシュ体で覆うことが挙げられる。また、モータファンの反襟首側開口部を覆うように繊維品、紙、及び若しくはプラスチックシート或いはこれらの組み合わせからなる帯状物を該モータファンへの空気取り入れが確保される空気通路になるように覆って略筒体を形成し、該筒体の両端が開口部となり、該両端開口部の外方に向けて前記の締結部を有する方式も挙げられる。
【００２３】
また、本考案の衣服は、以上の本考案の襟首冷却帯を衣服の襟に取り付けたり衣服の襟に兼ねさせるようにした構造とすることができる。尚、その場合、衣服にも背中領域に冷却用モータファンを配置すれば、装着者の背面と首部分の両方を冷やせて冷却の相乗効果が期待できる。
【００２４】
尚、首の真後ろの冷却が望ましくないような記述をしたが、本考案は小型ファンの風によるものであって保冷剤を首の後ろに集中的にあてがうというものではないから、モータファンの取り付け位置は、首真後ろを除外するものではない。また、保冷剤や水にぬらしたスポンジなどを帯状体に包み込むことも有効である。更には、電池やリード線の防水措置を条件に、帯状体自体を水で濡らすことも有効である。
【００２５】
本考案では首の両サイドを冷やせる。首の左右斜め前に太い血管（頸動脈）があり、ここを冷やしてあげることで、体温調節がうまくいく。このことは、次に記載のホームページ上でも明らかである。
https://netaroom.com/seasons/heatstroke-4
【００２６】
また、本考案の品はタオル、手拭の範疇になり、首に限らず冷やしたい位置に巻いたり沿わせたりすることが可能であり、モータファンを取り付け取り外し自在にして洗濯も可能となる。
【実施例】
【００２７】
以下に具体的実施例について説明する。
図１は本考案の一実施例による襟首冷却帯の概念図であり、図示のようにこの襟首冷却帯１０は、襟首に巻き付けることが可能な帯状体１２を有し、これに複数のモータファン１４を取り付けている。この帯状体１２は繊維品、紙、および若しくはプラスチックシート或いはこれらの組み合わせからなるもので、特に繊維品とした場合、着物生地、ガーゼ、タオル生地、手拭生地、レース、スカーフ或いはこれらの組み合わせからなる構成とすることができる。このような帯状体１２は単一の布状に形成され、円形開口部１６が４か所形成され、帯状体１２を襟首に巻いたとき、首回りに位置するように設定されている。
【００２８】
帯状体１２には開口部１６が形成されており、その開口部１６には、４つの小型モータファン２が開口部１６に位置するように取り付けられており、都合４か所に取り付けられる。符号１８は電池ケースであり、本例では３Ｖになるよう乾電池２本を収納している。軽量化の為にボタン電池も当然可能である。このモータファン１４は、コアレスタイプとされ、図２〜３に示されるように、その主要部たる回転羽根２６と駆動部(モータ)２８を略円環のケーシング２２に収容したものである。駆動部２８と外部電源を繋ぐリード線２０が接続されたものである。帯状体１２に沿ってリード線２０が配線され、一つ又は複数の電池ケース１８が付設されており、前記電源と該電池ケース１８内の電池とが導通するようになっている。モータファン１４は、上述したように、外観が略円盤状のケーシング２２を有し、厚さが２０ｍｍ以下、直径が４０ｍｍ以下のコアレスタイプであり、その略円盤状の周面がケーシング２２になり、その略円盤状の表裏両面には通風開口部２４があり、該通風開口部２４に回転羽根２６と、該回転羽根２６の駆動部２８が配置され、該駆動部２８から電源に繋がるリード線２０を引き出している。
【００２９】
また、帯状体１２の両端部近傍同士で締結可能にする締結部３０を備えている。締結部３０は帯状体１２をネクタイ状に首に巻き、端部の締結部３０同士を定着するもので、面ファスナーなどによって締結するようにしている。また、両者を結んで締結するようにしてもよい。
【００３０】
図４〜５は、装着者３２が図１のモータファン１４を装備した帯状体１２を首に巻いたイメージであり、図４は装着者背面から見たところ、図５は装着者前面から見たところである。このように、普通のタオル、手拭を首に巻く感じで本考案の襟首冷却帯１０を使用することが可能である。
【００３１】
尚、小型モータファン１４の帯状体１２への取り付け方は特に限定されない。例えば接着剤によるものでも良いし、予めモータファン１４の周囲に取り付け代を設けておいて面ファスナーや縫い止め等で布帯に固定しても良い。
【００３２】
図６に他の実施例に係る襟首冷却帯３８を例示する。図１の例に対して帯の中央部が２重の布袋帯になっている。その理由は頭髪のモータファン１４の回転羽根２６への巻き込みを防止することにある。
【００３３】
すなわち裏側布帯４０にモータファン１４を取り付けて、かつその取り付け開口部１６が開いていて、そこにモータファン１４が取り付けられている。取付方法は第一実施例に準ずる。そしてそのモータファン１４を覆うように裏側布帯４０の中央部は表側布帯４２で覆われている。しかしながら表側布帯４２はモータファン１４の空気取り入れ口を閉塞するのではなく浮かせてあって、表側布帯４２と裏側布帯４０によって空気流通路４４の管路が形成されている。そして裏側布帯４０の両端延長部は表側布帯４２が重なっておらず、一枚布帯状で締結部３０を形成する。この両サイドの締結部３０は互いに結び合って(縛って)締結しても良いし、締結具（図示省略）で締結しても良い。更には使用態様によってはダラリと首肩から垂れ下げた状態にすることも排除しない。
【００３４】
こうして空気流通路４４から取り込まれた空気はモータファン１４に入り、モータ駆動による羽根の回転にて風をモータファン１４から装着者３２の首に向けて放出される。
【００３５】
図７に示す実施例に係る冷却帯３８Ａは、図６に似ているが、表側布帯４２が裏側布帯４０と一体（一枚布）であり、折り曲げ部４６にてモータファン１４を包むように折り曲げて構成される。すなわち外側に折れてモータファン１４の空気取り入れ口を覆うようにし、髪の毛がモータファン１４の回転部に引き込まれ、巻き込まれない工夫をする。尚、ガーゼなどで空気流通するのも有効である。電池ケース１８は帯状体の略中央（つまり襟首中央）に配置し、ファンは当該部の配置を避けて後頭部に直接冷風が当たらぬようにしている。
【００３６】
図８に係る襟首冷却帯３８Ｂは、表側布帯４２と裏側布帯４０が別体であり、複数個所の面ファスナーで両者を止めるものである。図のタイプでは空気の取り込みの開口部が帯布の長手方向に平行の布下端領域になる。この例では面ファスナー貼り付け部４８に表側帯布４２の面ファスナー貼り付け部４８を位置合わせして貼り合わせすることになる。これも電池ケースは中央部に位置し、ファンは当該部の配置を避けて後頭部に直接冷風が当たらぬようにしている。
【００３７】
図９に示す実施例に係る襟首冷却帯３８Ｃが図８のものと大きく異なるのは表側布帯４２に直接、複数の空気取り入れ孔(網目)５０を設けたことと、裏側の両端の締結部分がスカーフ部５２になっていることである。折り曲げ部４６にて表裏の布帯を重ね合わせる。スカーフ部５２は着物の生地などカラフル、お洒落な製品が提供できる。電池ケース１８は中央部に位置していることは図７〜８と同様であり、ファンは当該部の配置を避けて後頭部に直接冷風が当たらぬようにしている。
【００３８】
図１０は本考案による襟首冷却帯の使用例を挙げている。(a)は両端締結部同士を面ファスナーで止めている。（ｂ）は両端締結部がスカーフ部になっている図７の例のものでスカーフ結びをしてあり、（ｃ）は（ｂ）の装着状態を横から見た図である。（ｄ）は通気流通の管路の袋になって締結部分がフックになっている。（e）は装着者の背面の様子、この例では襟首にかけるプラスチック製ハードタイプを示している。帯状体の形状は空気を流通する管路が形成されていれば湾曲のプラスチック製のように襟首にかけるタイプでも良い。（ｆ）は衣服と一体にして、シャツの襟部の裏側にファンが見えている様子を示す。
【００３９】
図１１は本考案の襟首冷却帯を取り付けた衣服６０の例を示す。この例では衣服６０の背面６２に身体背部冷却用ファン６４が配置されている。このファン６４も電池駆動とし、電源を襟首冷却帯１のモータファン１４と共通にしても良い。尚、本例では襟首冷却帯１０が衣服６０と一体であるが、勿論別体でも良い。
【符号の説明】
【００４０】
１０……襟首冷却帯、１２……帯状体、１４……モータファン、１６……円形開口部、１８……電池ケース、２０……リード線、２２……ケーシング、２４……通風開口部、２６……回転羽根、２８……駆動部、３０……締結部、３２……装着者、４０……裏側布帯、４２……表側布帯、４４……空気流通路、４６……折り曲げ部、４８……面ファスナー貼り付け部、５０……空気取り入れ孔、５２……スカーフ部、６０……衣服、６２……衣服背面、６４……身体背部冷却用ファン。
【図１】
0003225882.tif 000003
【図２】
0003225882.tif 000004
【図３】
0003225882.tif 000005
【図４】
0003225882.tif 000006
【図５】
0003225882.tif 000007
【図６】
0003225882.tif 000008
【図７】
0003225882.tif 000009
【図８】
0003225882.tif 000010
【図９】
0003225882.tif 000011
【図１０】
0003225882.tif 000012
【図１１】
0003225882.tif 000013
【手続補正書】
【提出日】令和2年2月5日(2020.2.5)
【手続補正１】
【補正対象書類名】実用新案登録請求の範囲
【補正対象項目名】全文
【補正方法】変更
【補正の内容】
【実用新案登録請求の範囲】
【請求項１】
複数のモータファンを襟首に巻き付け及び/または襟首かけ可能な帯状体に取り付けて
なることを特徴とする襟首冷却帯。
【請求項２】
前記帯状体は前記モータファンの取り付け位置に開口部を有する繊維品、紙、および若しくはプラスチック或いはこれらの組み合わせからなり、該帯状の両端部近傍同士で締結可能にする締結部を備えてなることを特徴とする請求項１記載の襟首冷却帯。
【請求項３】
前記帯状体が繊維品であり、着物生地、ガーゼ、タオル生地、手拭生地、レース、スカーフ或いはこれらの組み合わせからなることを特徴とする請求項２記載の襟首冷却帯。
【請求項４】
前記モータファンは外観が略円盤状であり、厚さが２０ｍｍ以下、直径が４０ｍｍ以下のコアレスタイプであり、その略円盤状の周面がケーシングになり、その略円盤状の表裏両面には通風開口部があり、該通風開口部に回転羽根と、該回転羽根の駆動部が配置され、該駆動部から電源に繋がるリード線を引き出してなる請求項１乃至３のいずれか記載の襟首冷却帯。
【請求項５】
前記帯状体に沿ってリード線が配線されており、一つ又は複数の電池ケースが付設されており、前記電源と該電池ケース内の電池とが導通するようになっていることを特徴とする請求項４記載の襟首冷却帯。
【請求項６】
前記モータファンの反襟首側開口部を空気流通するメッシュ体で覆うことを特徴とする請求項１乃至５のいずれか記載の襟首冷却帯。
【請求項７】
前記モータファンの反襟首側開口部を覆うように繊維品、紙、及び若しくはプラスチック或いはこれらの組み合わせからなる帯状物を該モータファンへの空気取り入れが確保される空気通路になるように覆って略筒体を形成し、該筒体の両端が開口部となり、該両端開口部の外方に向けて前記の締結部を有することを特徴とする請求項２に記載の襟首冷却帯。
【請求項８】
衣服の襟に請求項１乃至７のいずれかに記載の襟首冷却帯を取り付けてなることを特徴とする衣服。
【請求項９】
請求項８において衣服背部に冷却用ファンを備えてなることを特徴とする衣服。